【手続補正書】
【提出日】平成28年8月25日(2016.8.25)
【手続補正１】
【補正対象書類名】特許請求の範囲
【補正対象項目名】全文
【補正方法】変更
【補正の内容】
【特許請求の範囲】
【請求項１】
電気部品に繋がる配線のコネクタが接続されるコネクタ接続部が実装された接続基板を基板ケースに画成された収容空間に収容して、当該基板ケースを基板設置部に着脱可能に配設するよう構成された遊技機において、
前記基板ケースは、前記接続基板の厚み方向の前後に開口すると共に当該基板ケースの外側方に開口する凹状部が外周縁部に形成されて、前記収容空間に収容された前記接続基板が当該凹状部から基板ケースの外部に露出するよう構成され、当該接続基板において凹状部から基板ケース外部に露出した位置に前記コネクタ接続部が実装されると共に、
前記基板ケースにおいて前記凹状部から外れた外周縁部に、前記基板設置部に設けられた取付部に係脱可能に係合して当該基板ケースを保持する係合部が形成された
ことを特徴とする遊技機。
【請求項２】
前記係合部は、前記基板ケースの外周縁部に沿って離間した複数位置に設けられると共に、当該基板ケースの外周縁部から前記基板設置部の設置面側に突出するよう形成され、
前記基板設置部には、前記基板ケースの各係合部と対応する位置に取付部が設けられ、
前記基板設置部に設けた各取付部に前記基板ケースに設けた対応する各係合部が係合することで、当該基板ケースが基板設置部に配設されるよう構成された請求項１記載の遊技機。
【請求項３】
前記接続基板には、前記コネクタ接続部の装着口が前記基板ケースの外側方に開口する前記凹状部の側方開口に向く姿勢で実装され、当該凹状部の外側開口から電気部品に繋がる配線のコネクタがコネクタ接続部の装着口に接続されるよう構成された請求項１または２記載の遊技機。
【請求項４】
前記基板ケースには、当該基板ケースの各辺を形成する外周縁部に前記凹状部が形成され、
前記接続基板には、前記コネクタ接続部が実装される実装領域が各外周端部に沿って設けられると共に、当該コネクタ接続部の実装領域に囲まれた中央側に、当該コネクタ接続部よりも高さ寸法のある電子部品を含む電子部品を実装する実装領域が形成され、
前記接続基板におけるコネクタ接続部の実装領域が前記基板ケースの凹状部から基板ケース外部に露出すると共に、当該接続基板における電子部品の実装領域が当該基板ケースで覆われるよう構成された請求項１〜３の何れか一項に記載の遊技機。
【手続補正２】
【補正対象書類名】明細書
【補正対象項目名】０００６
【補正方法】変更
【補正の内容】
【０００６】
前記課題を克服し、所期の目的を達成するため、本願請求項１に係る遊技機は、
電気部品(SE3〜SE8,RP,SL1〜SL4,SN1〜SN3)に繋がる配線のコネクタが接続されるコネクタ接続部(61,62)が実装された接続基板(51)を基板ケース(90)に画成された収容空間(90a)に収容して、当該基板ケース(90)を基板設置部(50)に着脱可能に配設するよう構成された遊技機において、
前記基板ケース(90)は、前記接続基板(51)の厚み方向の前後に開口すると共に当該基板ケース(90)の外側方に開口する凹状部(101〜104)が外周縁部に形成されて、前記収容空間(90a)に収容された前記接続基板(51)が当該凹状部(101〜104)から基板ケース(90)の外部に露出するよう構成され、当該接続基板(51)において凹状部(101〜104)から基板ケース外部に露出した位置に前記コネクタ接続部(61,62)が実装されると共に、
前記基板ケース(90)において前記凹状部(101〜104)から外れた外周縁部に、前記基板設置部(50)に設けられた取付部(59a,59b)に係脱可能に係合して当該基板ケース(90)を保持する係合部(110a,110b)が形成されたことを要旨とする。
このように、基板ケースにおいてコネクタ接続部が露出する凹状部から外れた外周縁部に、基板設置部の取付部に対する係合部を形成したことで、当該係合部の形成位置を容易に識別することができ、基板ケースの取付作業性が向上する。また、基板ケースに形成した凹状部に接続基板のコネクタ接続部を配置することで、当該基板ケースをコンパクトにし得ると共に、コネクタ接続部を開口部に挿通させる必要性がなく、作業性を向上し得る利点がある。
【手続補正３】
【補正対象書類名】明細書
【補正対象項目名】０００７
【補正方法】変更
【補正の内容】
【０００７】
請求項２に係る発明は、
前記係合部(110a,110b)は、前記基板ケース(90)の外周縁部に沿って離間した複数位置に設けられると共に、当該基板ケース(90)の外周縁部から前記基板設置部(50)の設置面(50a)側に突出するよう形成され、
前記基板設置部(50)には、前記基板ケース(90)の各係合部(110a,110b)と対応する位置に取付部(59a,59b)が設けられ、
前記基板設置部(50)に設けた各取付部(59a,59b)に前記基板ケース(90)に設けた対応する各係合部(110a,110b)が係合することで、当該基板ケース(90)が基板設置部(50)に配設されるよう構成されたことを要旨とする。
このように、基板ケースの外周縁部から基板設置部の設置面側に突出するよう係合部を形成することで、基板設置部における基板ケースの設置ペースをコンパクトにできる。また、基板ケースにおいてコネクタ接続部が露出する凹状部から外れた外周縁部に係合部が位置するから、基板設置部の設置面側に突出させた係合部を容易に目視により確認でき、取付作業性が損なわれることはない。
【手続補正４】
【補正対象書類名】明細書
【補正対象項目名】０００９
【補正方法】変更
【補正の内容】
【０００９】
請求項４に係る発明は、
前記基板ケース(90)には、当該基板ケース(90)の各辺を形成する外周縁部に前記凹状部(101〜104)が形成され、
前記接続基板(51)には、前記コネクタ接続部(61,62)が実装される実装領域(CR1〜CR4)が各外周端部に沿って設けられると共に、当該コネクタ接続部(61,62)の実装領域(CR1〜CR4)に囲まれた中央側に、当該コネクタ接続部(61,62)よりも高さ寸法のある電子部品(65a)を含む電子部品(65a,65b)を実装する実装領域(DR1,DR2)が形成され、
前記接続基板(51)におけるコネクタ接続部(61,62)の実装領域(CR1〜CR4)が前記基板ケース(90)の凹状部(101〜104)から基板ケース外部に露出すると共に、当該接続基板(51)における電子部品(65a,65b)の実装領域(DR1,DR2)が当該基板ケース(90)で覆われるよう構成されたことを要旨とする。
このように、基板ケースの各辺に凹状部を形成することで、係合部の形成位置を際立たせることができるから、当該係合部の形成位置を容易に識別することができ、基板ケースの取付作業性が向上する。また、基板ケースに形成した各辺の凹状部に接続基板のコネクタ接続部を夫々対応させて配置することで、当該基板ケースをコンパクトにし得ると共に、コネクタ接続部を開口部に挿通させる必要性がなく、作業性を向上し得る利点がある。更に、コネクタの実装領域に囲まれた中央側に電子部品の実装領域を設けることで、基板ケースで電子部品を確実に保護することができる。
【手続補正５】
【補正対象書類名】明細書
【補正対象項目名】００７３
【補正方法】変更
【補正の内容】
【００７３】
また、前記基板ケース９０の各辺に第１〜第４コネクタ露出部１０１,１０２,１０３,１０４を形成して、係合部１１０ａ,１１０ｂが形成された第１〜第４領域区画部９５,９６,９７,９８を基板ケース９０の各角部に位置させることで、当該第１〜第４領域区画部９５,９６,９７,９８を際立たせることができるから、当該係合部１１０ａ,１１０ｂの形成位置を容易に識別することができ、基板ケース９０の取付作業性が向上する。更に、前記基板ケース９０において前記第２および第４コネクタ露出部１０２,１０４の外側開口の開口端部(すなわち、第１〜第４領域区画部９５,９６,９７,９８における第１区画壁部９９の突出端部)は、当該コネクタ露出部１０２,１０４から露出する前記第１中継接続基板５１の外周端部(上端部または下端部)よりも外側に位置するよう構成されて、当該第１中継接続基板５１の外周端部よりも外側に位置するよう前記係合部１１０ａ,１１０ｂが形成されているから、基板ケース９０における係合部１１０ａ,１１０ｂの形成位置をより際立たせることができる。従って、前記基板設置部５０(基板支持部５５)に取り付ける際の基板ケース９０の向きを容易に判別することができるから、基板ケース９０の取付作業性を簡単に行うことができる。また、基板ケース９０に形成した各辺のコネクタ露出部１０１,１０２,１０３,１０４に第１中継接続基板５１のコネクタ接続部６０,６１,６２を夫々対応させて配置することで、当該基板ケース９０をコンパクトにし得る利点がある。